(57)【要約】【課題】本考案は、組み立てを素早く行えるとともに、塗装もしやすく、放射線が外に漏れるのを防ぐことができるプレキャスト放射線防護板を提供する。【解決手段】本考案による防護板はもう一つの防護板と接合される。また、前記防護板は、硫酸バリウムとセメントを混合させて防護層を形成させるとともに、前記防護層の両側にそれぞれ隔板を設けてなる。なお、前記隔板は繊維補強セメント板である。【選択図】図１
0003168094.tif 000002
【実用新案登録請求の範囲】
【請求項１】
もう一つの防護板に接合されるプレキャスト放射線防護板であって、
前記防護板は、硫酸バリウムとセメントを混合させて防護層を形成させるとともに、前記防護層の両側に隔板をもうけてなることを特徴とする、プレキャスト放射線防護板。
【請求項２】
前記隔板は、繊維補強セメント板であることを特徴とする、請求項１に記載のプレキャスト放射線防護板。
【請求項３】
前記隔板における前記防護層と接合される面と反対の面は、塗装することが可能ななめらかな面を形成することを特徴とする、請求項１に記載のプレキャスト放射線防護板。
【請求項４】
前記防護板の一端は凸ほぞを形成し、前記防護板の他端は凹ほぞを形成し、前記凸ほぞは、もう一つの前記防護板の凹ほぞに嵌合されることを特徴とする、請求項１に記載のプレキャスト放射線防護板。
【請求項５】
前記防護板の一側は、少なくとも一つのプレキャストネジ孔を形成することを特徴とする、請求項１に記載のプレキャスト放射線防護板。
【請求項６】
前記防護板内には、前記防護板を強化するために、スポット溶接ワイヤーネットが設けられることを特徴とする、請求項１に記載のプレキャスト放射線防護板。
【請求項７】
前記防護板ともう一つの前記防護板の間には隙間が形成され、前記隙間の一側には障壁体が設けられることを特徴とする、請求項１に記載のプレキャスト放射線防護板。
【請求項８】
前記障壁体は、固定部材によって前記防護板に固定されることを特徴とする、請求項７に記載のプレキャスト放射線防護板。
【請求項９】
前記防護板はドアに適用されることを特徴とする、請求項１に記載のプレキャスト放射線防護板。
【請求項１０】
前記防護層はフレーム体に覆われドアを形成することを特徴とする、請求項１に記載のプレキャスト放射線防護板。
【請求項１１】
前記ドアの型式は、開き戸或いは引き戸であることを特徴とする、請求項９または請求項１０に記載のプレキャスト放射線防護板。
【考案の詳細な説明】
【技術分野】
【０００１】
本考案は放射線防護板に関し、特に組み立てを素早く行えるとともに、塗装もしやすく、放射線が外に漏れるのを防ぐことができるプレキャスト放射線防護板に関する。
【背景技術】
【０００２】
Ｘ線室は放射線診療部門に属するため、外に放射線が漏れるのを防ぐために、病院や診療所内のＸ線室を建設するときには、一般的に鉛板をその壁面につける。
【０００３】
この建設は、一般的にほとんどが以下の製造工程で行う。まず、放射線から保護する効果をもつレンガの壁を基礎にして、次にレンガの壁にセメントを塗布してレンガの壁面を平面にし、最後に平面を塗装して外観を整える。
【０００４】
しかしながら、この製造工程は時間もコストも非常にかかる。この方法だと、レンガの壁を作った後、セメントをレンガの壁面に塗布することで凸凹の面を平らにしなければならない。このやり方は非常によく知られているが、非常に多くの時間もコストも労力もかかる。
【考案の概要】
【考案が解決しようとする課題】
【０００５】
そこで、本考案は、組み立てを素早く行えるとともに、塗装もしやすく、放射線が外に漏れるのを防ぐことができるプレキャスト放射線防護板を提供することを目的とする。
【課題を解決するための手段】
【０００６】
本考案によるプレキャスト放射線防護板はもう一つの防護板と接合される。また、前記防護板は、硫酸バリウムとセメントを混合させて防護層を形成させるとともに、前記防護層の両側にそれぞれ隔板を設けてなる。なお、前記隔板は繊維補強セメント板である。前記隔板における前記防護層と接合する面の反対の面は、塗装することが可能ななめらかな面を形成する。
【考案の効果】
【０００７】
本考案は、前記防護板を組み立てた後に、前記なめらかな面に直接塗装を行うことができる。また、レンガの壁を組み立てた後にレンガの壁面上にセメントをさＲない塗布して凸凹の面を平らにするという従来の方法が時間もコストも労力もかかるという問題を解決し、組み立てを素早く行えるとともに、塗装もしやすく、放射線が外に漏れるのを防ぐことができる。
【図面の簡単な説明】
【０００８】
【図１】本考案の実施例１の外観を示した斜視図である。
【図２】本考案の実施例１の構造を示した断面図である。
【図３】本考案の防護板ともう一つの防護板を組み合わせた状態を示した概略図である。
【図４】本考案の実施例１の使用した状態を示した概略図である。
【図５】本考案の実施例２の構造を示した断面図である。
【図６】本考案の実施例３の外観を示した斜視図である。
【図７】本考案の実施例４の外観を示した斜視図である。
【考案を実施するための形態】
【０００９】
（実施例１）
図１と図２を参照する。図１は、本考案の実施例１の外観を示した斜視図であり、図２は、本考案の実施例１の構造を示した断面図である。図から分かるように、本考案による防護板は、もう一つの防護板と接合される。本考案の実施例１の防護板１０は、硫酸バリウムとセメントを混合させて防護層１１を形成させ、防護層１１の両側には隔板１３をそれぞれ設け、隔板１３における防護層１１と接合した面の反対の面には塗装することが可能ななめらかな面１３１を形成させてなる。なお、隔板１３は繊維補強セメント板である。
【００１０】
また、防護板１０の一端には凸ほぞ１４を形成させ、防護板１０の他端には凹ほぞ１５を形成させる。この構造により、凸ほぞ１４を、もう一つの防護板１０の凹ほぞ１５に嵌合させることができる。さらに、防護板１０内にはスポット溶接ワイヤーネット１２を形成させて、防護板１０を強化する。
【００１１】
上述した構造をもつ本考案の組み立ての説明を行う。図２と図３を参照する。図２は、本考案の実施例１の構造を示した断面図であり、図３は、本考案の防護板ともう一つの防護板を組み合わせた状態を示した概略図である。図から分かるように、防護板１０は、防護層１１と、隔板１３とによって構成する。防護板１０の一端は凸ほぞ１４を形成し、防護板１０の他端は凹ほぞ１５を形成し、凸ほぞ１４は別の防護板１０の凹ほぞ１５に嵌合させることができる。以上の構造により、図に示すように、使用者が防護板１０を組み立てたい時、防護板１０の凸ほぞ１４を別の防護板１０の凹ほぞ１５に嵌合させれば、組み立てが完成する。
【００１２】
図４を参照する。図４は、本考案の実施例１の使用した状態を示した概略図である。図から分かるように、防護板１０と、垂直に設けられたもう一つの防護板１０の間には、隙間２０が形成される。この時、隙間２０の一側には障壁体２１を設け、障壁体２１は固定部材２２によって防護板１０に固定する。以上の構造により、放射線が隙間２０から外に漏れ出すのを防ぐことができる。
【００１３】
（実施例２）
図５を参照する。図５は、本考案の実施例２の構造を示した断面図である。図から分かるように、防護板１０ａの一側には、少なくとも一つのプレキャストネジ孔１６ａを設け、プレキャストネジ孔１６ａをネジ部材１７ａと螺合することにより、後に、クレーンで防護板１０ａを吊り下げるときに作業がしやすくなる。
【００１４】
（実施例３）
図６を参照する。図６は、本考案の実施例３の外観を示した斜視図である。図から分かるように、防護板１０ｂは、硫酸バリウムとセメントを混合して防護層１１ｂを形成させ、防護層１１ｂの両側にそれぞれ隔板１３ｂを設け、さらに防護板１０ｂをフレーム体２３ｂで覆ってなる。以上の構造により、ドアに適用することができる。なお、このドアの型式は、開き戸でも引き戸でもよい。
【００１５】
（実施例４）
図７を参照する。図７は、本考案の実施例４の外観を示した斜視図である。図から分かるように、防護板１０ｃは、硫酸バリウムとセメントを混合して防護層１１ｃを形成させ、前記防護層１１ｃをフレーム体２３ｃで覆ってなる。以上の構造により、ドアに適用することができる。なお、このドアの型式は、開き戸でも引き戸でもよい。
【００１６】
全ての図を参照する。本考案を使用すると、従来の技術と比較して、以下の優れた点がある。
一、隔板１３を設けることにより、防護板１０を組み立てた後になめらかな面１３１に直接塗装することができ、セメントを塗布して平らにする必要がない。
二、プレキャストネジ孔１６ａによって、施工時に運びやすくなる。
三、防護板１０ともう一つの防護板１０を接合する際、合わせやすく、しかも、先に防護板１０を合わせてから隔板をとりつけることができる。従って、場所や気候の制限や影響を受けずに施工を行うことができる。
【符号の説明】
【００１７】
１０、１０ａ、１０ｂ、１０ｃ  防護板    
１１、１１ｂ、１１ｃ          防護層    
１２                          スポット溶接ワイヤーネット            
１３、１３ｂ                  隔板
１３１                        なめらかな面
１４                          凸ほぞ        
１５                          凹ほぞ        
１６ａ                        プレキャストネジ孔
１７ａ                        ネジ部材    
２０                          隙間        
２１                          障壁体    
２２                          固定部材    
２３ｂ、２３ｃ                フレーム体    
【図１】
0003168094.tif 000003
【図２】
0003168094.tif 000004
【図３】
0003168094.tif 000005
【図４】
0003168094.tif 000006
【図５】
0003168094.tif 000007
【図６】
0003168094.tif 000008
【図７】
0003168094.tif 000009